(57)【要約】【課題】携帯電話に容易に装着できて確実に充電プラグが接続され、こじる力等にも破損せず耐久性の高い充電プラグアダプタを提供する。【解決手段】携帯電話１２の充電コネクタ１４が設けられた端部に装着可能に形成されたケース本体１８を有する。充電コネクタ１４に対向して位置するとともに、充電コネクタ１４に係止爪２８により係合固定され、着脱レバー２４により係止爪２８を退避させ係合を解除することができる充電プラグ１６を、嵌合収納可能に形成された収納部２０を備える。収納部２０に設けられ着脱レバー２４を押圧して、係止爪２８を退避させる押圧部３０を備える。携帯電話１２に形成された嵌合部４４に嵌合可能に弾性付勢された嵌合爪４０を、ケース本体１８に有する。【選択図】図１
2007181274.tif 000002
【特許請求の範囲】
【請求項１】
携帯電話の充電コネクタが設けられた端部に装着可能に形成されたケース本体からなる充電アダプタにおいて、
前記ケース本体には、前記充電コネクタに対向して位置するとともに、前記充電コネクタに係止爪により係合固定され、着脱レバーにより前記係止爪を退避させ係合を解除することができる充電プラグを嵌合収納可能に形成された収納部と、
前記収納部に設けられ前記着脱レバーを押圧して前記係止爪を退避させるように形成された押圧部とを備え、
充電アダプタを介在させて前記充電プラグと充電コネクタを嵌合させることを特徴とする充電プラグアダプタ。
【請求項２】
前記携帯電話に形成された嵌合部に嵌合可能に弾性付勢された嵌合爪を、前記ケース本体に有することを特徴とする請求項１記載の充電プラグアダプタ。
【請求項３】
前記ケース本体には、前記携帯電話の端部に摺接可能なガイドリブが設けられていることを特徴とする請求項１または２記載の充電プラグアダプタ。
【発明の詳細な説明】
【技術分野】
【０００１】
この発明は、携帯電話の充電を行う際に、充電プラグが接続される充電プラグアダプタに関する。
【背景技術】
【０００２】
従来、携帯電話の充電は、例えば特許文献１に開示されている形状に構成され、充電器から延びた電源ケーブルに設けられた充電プラグを、携帯電話に設けられた充電コネクタに嵌挿したり、充電台に携帯電話を載置し充電台に設けられた充電コネクタに嵌挿したりして行っている。携帯電話を載置して充電する充電台には、特許文献１，２に開示されているように、充電プラグが挿入される凹部が設けられている。
【０００３】
上記従来の技術では、図３に示すように、一般に充電プラグ５０は、図示しない充電器から延びた電源ケーブル５２に接続され、樹脂製の略矩形の薄い板状の外装５４から形成されている。充電プラグ５０には、薄い金属板や樹脂により弾性付勢された鉤状の爪５６が、幅方向の両側面それぞれに突出し退避可能に設けられている。この爪５６は、幅方向両側面に設けられたレバー５８と連動し、レバー５８を押圧すると、外装５４内へ爪５６を収納可能に形成されている。
【０００４】
この充電プラグ５０を、携帯電話６０の充電コネクタ６２に嵌挿すると、図３（ａ）に示すように、充電コネクタ６２の内側側面の溝６４へ、充電プラグ５０に弾性的に付勢された爪５６が嵌合し、引き抜き方向へ充電プラグ５０が抜けないように装着固定される。この充電プラグ５０を引き抜くには、充電プラグ５０の両側面のレバー５８を押しながら充電コネクタ６２から引き離すことにより、抜き取り可能に形成されている。
【特許文献１】特開２００４−３２４８０号公報
【特許文献２】特開２０００−２６１９７３号公報
【発明の開示】
【発明が解決しようとする課題】
【０００５】
上記以来の技術の構成の場合、携帯電話６０の充電コネクタ６２に嵌挿された充電プラグ５０は、例えば、電源ケーブル６２が引っ張られたり、揺すられたりして、図３（ｂ）の矢印に示すような力が働くと、充電プラグ５０の爪５６や充電コネクタ６２にも縦横の方向の力が加わる。すると、樹脂により形成された充電プラグ５０は、こじる方向の力に耐えきれず破損したり、充電コネクタ６２の溝６４に嵌合する爪５６が曲がったりする問題があった。また、無理に外した充電プラグ５０は、外装が破損していなくても、爪５６が変形することがあった。さらに、破損した状態で、無理に充電コネクタ６２へ嵌挿しても、充電コネクタ６２の溝６４に爪５６が嵌合できずに抜けてしまい、充電が正常にできないものであった。
【０００６】
また、特許文献２に開示された充電台では、充電台の凹部内に充電プラグが位置する構成であるが、この場合も、下方へ充電プラグをこじる力が加わると、ねじれが起こり、破損や爪が曲がる可能性が残るものであった。
【０００７】
この発明は、上記従来技術の問題に鑑みて成されたもので、携帯電話に容易に装着できて確実に充電プラグが接続され、こじる力等にも破損せず耐久性の高い充電プラグアダプタを提供することを目的とする。
【課題を解決するための手段】
【０００８】
この発明は、携帯電話の充電コネクタが設けられた端部に装着可能に形成されたケース本体からなる充電アダプタであって、前記ケース本体には、前記充電コネクタに対向して位置するとともに、前記充電コネクタに係止爪により係合固定され、着脱レバーにより前記係止爪を退避させ係合を解除することができる充電プラグを嵌合収納可能に形成された収納部と、前記収納部に設けられ前記着脱レバーを押圧して前記係止爪を退避させるように形成された押圧部とを備え、充電アダプタを介在させて前記充電プラグと充電コネクタを嵌合させる充電プラグアダプタである。
【０００９】
さらに、前記携帯電話に形成された嵌合部に嵌合可能に弾性付勢された嵌合爪を、前記ケース本体に有するものである。
【００１０】
上記ケース本体のコの字形の両端腕部内側の上下の角部近傍等には、前記携帯電話の端部に摺接可能なガイドリブが設けられているものである。
【００１１】
また、前記嵌合爪の端部は、前記ケース本体を前記携帯電話の端部に装着する方向の前後に傾斜面を備えた山形に形成され、前記携帯電話の前記嵌合部に対して、ほぼ一定の力で着脱自在に設けられているものである。
【発明の効果】
【００１２】
この発明の充電プラグアダプタによれば、携帯電話端部へ被せるように装着するため、装着の操作性が良く、外部からのこじる力等に対しても破損せず、確実に充電プラグが接続される。また、一定以上の力で安全に充電プラグが外れて、損傷を防止する。さらに、携帯電話端部両側面に対して容易に着脱自在に嵌合し、装着できるものである。
【発明を実施するための最良の形態】
【００１３】
以下、この発明の充電プラグアダプタの一実施形態について、図１、図２を基にして説明する。この実施形態の充電プラグアダプタ１０は、携帯電話１２に内蔵された二次電池を充電する際に、携帯電話１２に設けられた充電コネクタ１４に嵌挿される充電プラグ１６を保持するアダプタである。
【００１４】
この実施形態において、携帯電話１２に使用する充電プラグ１６は、図１（ａ）に示すように、樹脂製の薄い略矩形の板状に形成されている。充電プラグ１６の一端面には、電源ケーブル２２が接続され、その両側の幅方向の両側面には、一対の着脱レバー２４が設けられている。さらにこの両側面には、各着脱レバー２４に連動し、充電コネクタ１４に嵌挿される嵌挿部２６の幅方向両側面から突出した係止爪２８が設けられている。係止爪２８は、充電コネクタ１４に係止されて充電プラグ１６を充電コネクタ１４に固定するとともに、着脱レバー２４の押圧により、内側に退避して係止解除可能に形成されている。
【００１５】
この実施形態の充電プラグアダプタ１０は、図１に示すように、一対のコの字形の上ケース１８ａと下ケース１８ｂを一体に組み合わせて、ケース本体１８が形成されている。ケース本体１８の中央内部には、図１（ａ）に示すように、携帯電話１２に使用する充電プラグ１６を嵌合収納可能に収納部２０が形成されている。収納部２０の内側の両側面には、充電プラグ１６が挿入された状態で、充電プラグ１６の着脱レバー２４を押圧可能に形成された押圧部３０が設けられている。収納部２０は、その内側に充電プラグ１６を収納した状態で、充電プラグ１６の嵌挿部２６が、ケース本体１８のコ字状の内側に一部突出する形状である。
【００１６】
コ字状に形成されたケース本体１８内側の上下の縁は、図１（ｂ）に示すように、テーパー状に形成された受け部３２が設けられ、携帯電話１２の端縁部と当接可能に形成されている。また、コ字状のケース本体１８の両端腕部３４の内側側面には、それぞれ矩形の貫通孔３６が設けられ、図示しない軸受けに軸支された揺動部材３８の先端部に突設された嵌合爪４０が、貫通孔３６から突出している。嵌合爪４０は、両端腕部３４の延出方向前後に傾斜面を有した山形に形成されている。そして、揺動部材３８にはバネ４２が取り付けられ、ケース本体１８内側方向へ突出するように弾性的に付勢されている。これにより、図２（ａ）に示すように、携帯電話１２端部両側面の嵌合部４４へ嵌合爪４０が嵌合可能に形成されている。
【００１７】
そのほか、図１（ｂ）に示すように、ケース本体１８の両端腕部３４内側の上下の角には、携帯電話１２端部の湾曲した角と摺接可能に形成され、装着をガイドするガイドリブ４６が設けられている。
【００１８】
次に、この実施形態の充電プラグアダプタ１０の使用方法について説明する。まず、図示しない充電器から延びた電源ケーブル２２に設けられた充電プラグ１６を、図１（ｂ）に示すように、一対の上ケース１８ａと下ケース１８ｂにより、中央の収納部２０へ収納して嵌合させ、一対のケース本体１８が形成される。この際、充電プラグ１６の着脱レバー２４が押圧部３０により押圧され、嵌挿部２６の幅方向両側面から、係止爪２８が退避して内側に収納される。続いて、図２（ａ）に示すように、ガイドリブ４６に携帯電話１２端部の角を合わせて摺動させ、ケース本体１８の受け部３２を、携帯電話１２端部の角の曲面と接するように押し込む。すると、嵌合爪４０が携帯電話１２端部側面の嵌合部４４に嵌合され、充電プラグ１６も、図２（ａ），（ｂ）に示すように、携帯電話１２の充電コネクタ１４に嵌挿されて、充電の準備が完了する。
【００１９】
そして、充電が終了したなら、携帯電話１２からケース本体１８を引き離し方向へ引っ張ると、携帯電話１２端部側面の嵌合部４４から嵌合爪４０が弾性的に抜け出て、携帯電話１２からケース本体１８が外される。
【００２０】
この実施形態の充電プラグアダプタ１０によれば、携帯電話１２端部へ装着することにより、携帯電話１２側面の嵌合部４４と嵌合爪４０が嵌合し、ケース本体１８の受け部３２が携帯電話１２の端縁に当接し、ケース本体１８全体で充電プラグ１６が保持される。そのため、充電プラグ１６に無理な応力が加わらず、こじる力にも高い耐性を有し、確実に充電プラグ１６が接続される。また、嵌合爪４０が山形に形成されているため、携帯電話１２端部から充電プラグアダプタ１０を外す際、僅かに強めに力を加えて引き離すと、嵌合爪４０が嵌合部４４から外れるため、レバー操作など必要なく簡単に着脱できるものである。また、一定以上の強い力が加わった場合、嵌合爪４０が嵌合部４４から外れて、携帯電話１２と分離されるため、充電プラグ１６の破損を防ぐことができるものである。さらに、充電プラグ１６と充電コネクタ１４との嵌合が、ケース本体１８の携帯電話１２に対する装着により完了するので、大きな部材同士の嵌合操作となり、従来のように小さな充電プラグと充電コネクタの嵌合と比較して操作性がよい。
【００２１】
なお、この発明の充電プラグアダプタは上記実施形態に限定されるものではなく、充電コネクタが設けられた携帯電話の側面に被着嵌合可能に形成されていればよいため、ケース本体の形状等は適宜設定可能なものである。また、ケース本体内部に形成された収納部の形状は、充電プラグに設けられた着脱レバーを押圧可能に形成されていればよく、適宜設定可能なものである。さらに、各部材の形状や素材など適宜変更可能である。
【図面の簡単な説明】
【００２２】
【図１】この発明の一実施形態の充電プラグアダプタと充電プラグの嵌合状態を示す上面部分断面図（ａ）と、側面部分断面図（ｂ）である。
【図２】この実施形態の充電プラグアダプタに充電プラグを嵌合収納して、携帯電話に装着した状態を示す底面部分断面図（ａ）と、側面部分断面図（ｂ）である。
【図３】従来の携帯電話へ充電プラグを嵌挿した状態を示す底面部分断面図（ａ）と、側面部分断面図（ｂ）である。
【符号の説明】
【００２３】
１０  充電プラグアダプタ
１２  携帯電話
１４  充電コネクタ
１６  充電プラグ
１８  ケース本体
１８ａ  上ケース
１８ｂ  下ケース
２０  収納部
２４  着脱レバー
２８  係止爪
３０  押圧部
３２  受け部
３４  両端腕部
４０  嵌合爪
４４  嵌合部
４６  ガイドリブ
【図１】
2007181274.tif 000003
【図２】
2007181274.tif 000004
【図３】
2007181274.tif 000005